(57)【特許請求の範囲】
【請求項１】
座と、背もたれと、足を置くための足置きと、これらを支持してなる脚体とを少なくとも具備してなる椅子において、
前記背もたれが、背もたれ本体と、この背もたれ本体と支持する背支桿とを具備してなり、
前記背支桿の上端部に前記背もたれ本体を取り付けるとともに、下端部が前記背もたれを正逆方向に回転可能に支持する第１の回転支持部を介して前記脚体に取り付けられており、
前記座を上下方向に移動させる座昇降機構と、前記背もたれを前後方向に移動させる動作と前記足置きを上下方向に移動させる動作とを連続的に連動させる連動装置とを具備してなり、前記連動装置が、前記座昇降機構と協働して座の移動動作を前記背もたれ及び足置きの移動動作と連続的に連動させるものであり、
前記第１の回転支持部が、前記座を上下方向に移動させても回転中心が上下に移動不能な前記脚体の脚支柱に固定されたものであって、
前記連動装置が、背もたれを軸部を用いて正逆方向に回転可能に支持する第１の回転支持部と、一端側を前記第１の回転支持部から変位した背もたれの一部に軸部を用いて正逆方向に回転可能に取り付け、他端側を前記座昇降機構により上下方向に移動可能に支持された座側又は足置き側の一部に軸部を用いて正逆方向に回転可能に取り付けた第１のリンク部材と、足置きを軸部を用いて正逆方向に回転可能に支持する第２の回転支持部と、一端側を前記第２の回転支持部から変位した足置きの一部に軸部を用いて正逆方向に回転可能に取り付け、他端側を前記座昇降機構により上下方向に移動可能に支持された座側の一部に軸部を用いて正逆方向に回転可能に取り付けた第２のリンク部材とを具備してなり、
前記座を上下方向に移動させる座昇降動作と、前記背もたれを前後方向に移動させる動作と、前記足置きを上下方向に移動させる動作とを連続的に連動させることを特徴とする椅子。
【請求項２】
連動装置が、前記座を上昇させた場合に、前記背もたれ及び足置きを前記座と近づく方向に移動させ、前記座を下降させた場合に、前記背もたれ及び足置きを前記座と離れる方向へ移動させることで、座を基準にして背もたれ及び足置きの位置を決定するものであることを特徴とする請求項１記載の椅子。
【請求項３】
座昇降機構が、ガススプリングであることを特徴とする請求項１又は２記載の椅子。
【請求項４】
天板面を一定高さ位置に固定したテーブルや机等の天板付き家具とともに使用され、前記天板面上での執務作業に適するように前記座の高さ位置を設定するものであることを特徴とする請求項１、２又は３記載の椅子。
【請求項５】
第１の回転支持部が、足置きの基端部側を正逆方向に回転可能に支持する前記第２の回転支持部を兼ねていることを特徴とする請求項１、２、３又は４記載の椅子。
【発明の詳細な説明】
【０００１】
【発明の属する技術分野】
本発明は、学校等で主に生徒用として好適に利用される椅子に関するものである。
【０００２】
【従来の技術】
この種の生徒用の椅子において、特に、小学校で利用されるものの場合には、低学年〜高学年の間で体格差が顕著なため、着座者の体格に応じて座の高さ調整ができるとともに、これに合わせて背もたれの位置を前後方向に調整することができるタイプが利用されることが多い。
【０００３】
このような椅子の従来の具体的な構成としては、背もたれと座とを別々に調整するものや、螺子送り運動等の回転運動により座の昇降動作を行い、これと連動させて背もたれの前後位置を調整することによって、着座者の体格に合わせて座及び背もたれの位置を着座者の体格にフィットするような適正位置に合わせることができるもの等がある。
【０００４】
また、前述したような背もたれの位置を調整するものと同様に、座の昇降動作と連動させて着座者の足を保持する足置きをその体格に合わせた適正位置に調整するものも要望されている。
【０００５】
【発明が解決しようとする課題】
ところで、近年、小学校でもパソコンを使用して行う授業等が導入されており、パソコン作業を行うための机と椅子の開発が行われている。また、生徒の体格を調査した結果から、膝下から足にかけての膝下長さ及び膝上から臀部にかけての膝上長さは、成長による体格の変化とともに、最も著しく変化することが明らかになっている。一方、前述したようなパソコン作業を行う場合には、腕を略直角に保持した姿勢で、キーボードやマウスの操作を行うものであり、天板面に対する座の位置変化は、体格の違いによってそれ程大きくないことも前記調査で明らかになっている。そのため、体格の異なる着座者が、同じ机と椅子を利用してパソコン作業等を行う場合に適正な姿勢を保持するためには、体格の違いによって変化が大きい膝下長さ及び膝上長さに対応させて、足置きの上下高さ位置及び背もたれの前後位置を利用者の体格に合わせて適正に調整することが最も望ましいと考えられる。
【０００６】
このような考えに鑑み、本発明は、着座者の体格が変化した場合にも、パソコン作業等を行うための適正な姿勢を保持し得るような椅子を提供することを目的としている。
【０００７】
【課題を解決するための手段】
上記の問題点を解決するために、本発明は、座と、背もたれと、足を置くための足置きと、これらを支持してなる脚体とを少なくとも具備してなる椅子において、前記背もたれが、背もたれ本体と、この背もたれ本体と支持する背支桿とを具備してなり、前記背支桿の上端部に前記背もたれ本体を取り付けるとともに、下端部が前記背もたれを正逆方向に回転可能に支持する第１の回転支持部を介して前記脚体に取り付けられており、前記座を上下方向に移動させる座昇降動作と、前記背もたれを前後方向に移動させる動作と、前記足置きを上下方向に移動させる動作とを連続的に連動させるようにしている。
【０００８】
このような構成のものであると、座、背もたれ及び足置きのうちの何れか一つの位置を変えれば、それに合わせて他の２つの位置も連動して変化することになり、一回の操作で座、背もたれ及び足置きを適正な位置に移動させることが可能となる。例えば、小学校低学年の場合には、座が上方へ移動する動作と、足置きが上方へ移動する動作と、背もたれが前方へ移動する動作とを連動させて行うようにすれば、パソコンやキーボードを置いた天板面に腕を略直角に曲げた状態で、座を中心にして足置きと背もたれとが互いに近付く方向、すなわち背もたれによって利用者の背を、足置きによって利用者の足を良好に支持する位置へ連動させ得ることになる。同様にして、体格の大きい小学校高学年の場合には、座が下方へ移動する動作と、足置きが下方へ移動する動作と、背もたれが後方へ移動する動作とを連動させて行うようにすれば、パソコンやキーボードを置いた天板面に腕を略直角に曲げた状態で、座を中心にして足置きと背もたれとが互いに離間する方向、すなわち背もたれによって利用者の背を、足置きによって利用者の足を良好に支持する位置へ連動して移動することになる。したがって、利用者は、背と足を椅子により適正に保持した状態で作業を行うことが可能となり、例えば、長期間パソコン作業を行っても、疲労感を感じにくく、また、姿勢を良好に保って視力低下等を招く恐れを有効に回避することが可能となる。
【０００９】
好適な実施の形態としては、座を上下方向に移動し得る座昇降機構を具備してなり、前記連動装置が、前記座昇降機構と協働して座の移動動作を前記背もたれ及び足置きの移動動作と連続的に連動させるものが挙げられる。また、前記第１の回転支持部が、前記座を上下方向に移動させても回転中心が上下に移動不能な前記脚体の脚支柱に固定されたものである。
【００１０】
連動する背もたれと足置きの位置決定のし易さを図るには、連動装置が、前記座を上昇させた場合に、前記背もたれ及び足置きを前記座と近づく方向に移動させ、前記座を下降させた場合に、前記背もたれ及び足置きを前記座と離れる方向へ移動させることで、座を基準にして背もたれ及び足置きの位置を決定するものであることが望ましい。
【００１１】
ワンタッチ操作で座、背もたれ及び足置きの位置調整を行うことを可能にするには、座昇降機構が、ガススプリングであることが望ましい。
【００１２】
好適な実施の形態としては、天板面を一定高さ位置に固定したテーブルや机等の天板付き家具とともに使用され、前記天板面上での執務作業に適するように前記座の高さ位置を設定するものであることが望ましい。
【００１３】
前述した作動を行い得るものを、部材を可及的に少なくして簡素な構造で実現するには、本発明にかかる椅子は、連動装置が、背もたれを軸部を用いて正逆方向に回転可能に支持する第１の回転支持部と、一端側を前記第１の回転支持部から変位した背もたれの一部に軸部を用いて正逆方向に回転可能に取り付け、他端側を前記座昇降機構により上下方向に移動可能に支持された座側又は足置き側の一部に軸部を用いて正逆方向に回転可能に取り付けた第１のリンク部材と、足置きを軸部を用いて正逆方向に回転可能に支持する第２の回転支持部と、一端側を前記第２の回転支持部から変位した足置きの一部に軸部を用いて正逆方向に回転可能に取り付け、他端側を前記座昇降機構により上下方向に移動可能に支持された座側の一部に軸部を用いて正逆方向に回転可能に取り付けた第２のリンク部材とを具備してなることを特徴とする。
【００１４】
さらに部品点数を削減して構造の簡素化を図るには、第１の回転支持部が、足置きの基端部側を正逆方向に回転可能に支持する前記第２の回転支持部を兼ねていることが望ましい。
【００１５】
【発明の実施の形態】
以下、本発明の一実施の形態について図面を参照して説明する。
【００１６】
本実施の形態の椅子Ａは、主として学校等で生徒用の椅子として利用されるものであり、図１に示すように、座２と背もたれ３と足置きたる足置き部４とを具備してなる椅子本体１と、この椅子本体１を支持してなる脚体５とを具備してなる。そして、この椅子Ａは、天板面が一定高さ位置にあるテーブルや机等の天板付き家具（図示せず）とともに使用され、特に前記天板付き家具の天板上にパソコン等のOA装置を置いて執務作業を行うべく利用されるものである。
【００１７】
以下、この椅子Ａの具体的な構成について説明する。
【００１８】
座２は、図１〜図３に示すように、薄板状のもので、その下面に設けた座受部材２１を前記脚体５の上端部側に座昇降機構たるガススプリング６を介して上下動可能に支持されている。
【００１９】
背もたれ３は、平面視略矩形状の薄板部材で形成された背もたれ本体３１と、前記背もたれ本体３１を支持する背支桿３２とを具備している。この背支桿３２は、下半部３２１と、この下半部３２１に対して屈曲している上半部３２２とから構成される側面視略逆くの字形状のものである。そして、その上端部３２ａに前記背もたれ本体３１を当該背支桿３２に対して角度調整可能となるように取り付けている。
【００２０】
足置き部４は、前記座２の下方に位置するものであり、平面視略ロ字形状をなすように屈曲させた丸パイプ部材により構成されている。具体的には、この足置き部４は、丸パイプ部材を後方側が一部開口するように平面視略ロ字形に屈曲させたものであるが、その左右両端部４ａに、溶接する等して連結した前後方向に延びる薄板状の連結部材４１を有している。具体的には、この連結部材４１の略中央部には、前記足置き部４の左右両端部４ａが連結してある。
【００２１】
脚体５は、例えば、キャスタＣにより移動可能に支持されている５本の脚羽根５１と、これら脚羽根５１の中央部から上方へ突出した脚支柱５２とを具備してなる。この脚支柱５２の上端部には、前記ガススプリング６が設けてあり、このガススプリング６の上方に前記座２を支持する座受部材２１を適宜の手段で上下動可能に支持させている。
【００２２】
ガススプリング６は、上端部近傍側に設けた作動端６１を操作レバーBにより押圧している際にだけ、図示しない弁が開閉して突没軸たるロッド６２が突没動作を行う周知のものである。具体的に説明すると、座２の位置を調整する場合には、先ず、操作レバーＢによりガススプリング６の作動端６１を押圧し、ロッド６２が突没動作を行うようにする。その状態で着座者が座２にかける荷重を増加させると座２は下降し、逆に座２にかける荷重を減少させると座２は上昇する。
【００２３】
このような構成のものにおいて、本実施の形態では、前記背もたれ３を前後方向に移動させる動作と、前記足置き部４を上下方向に移動させる動作とを連続的に連動させる連動装置たる位置調整機構７を具備してなる。この位置調整機構７は、前記ガススプリング６と協働して座２の移動動作を前記背もたれ３及び足置き部４の移動動作と連続的に連動させるものであり、本実施の形態では、座２を上昇させた場合に、背もたれ３及び足置き部４を前記座２と近付く方向に移動させ、座２を下降させた場合に、背もたれ３及び足置き部４を前記座２と離れる方向へ移動させるものである。すなわち、パソコン作業等の天板上での執務作業に適するように座２の高さ位置を設定すると、その位置に合わせて位置調整機構７が、座２と足置き部４の間隔が着座者の膝下長さに略合致し、座２と背もたれ３の間隔が膝上長さに略合致した最適位置となるように、足置き部４の上下高さ位置及び背もたれ３の前後位置を調整するものである。
【００２４】
位置調整機構７は、図４に示すように、背支桿３２の基端部たる下端部３２ｂ側及び足置き部４の基端部たる連結部材４１の後端部４１ａ側を正逆方向に回転可能に支持する回転支持部７１と、一端たる後端部７２ｂ側を前記回転支持部７１から変位した位置にある背支桿３２の一部に正逆方向に回転可能に取り付け、他端たる前端部７２ａ側をガススプリング６のロッド６２に正逆方向に回転可能に取り付けた第１のリンク部材たる第１リンクメンバ７２と、一端たる下端部７３ｂ側を前記回転支持部７１から変位した位置にある足置き部４の連結部材４１に正逆方向に回転可能に取り付け、他端たる上端部７３ａ側をガススプリング６のロッド６２に正逆方向に回転可能に取り付けた第２のリンク部材たる第２リンクメンバ７３とを具備してなる。
【００２５】
回転支持部７１は、前記背支桿３２の下端部３２ｂに軸心方向を水平方向と略一致させて設けた軸挿通孔３２１と、前記足置き４の連結部材４１の後端部４１ａ側に設けた軸挿通孔４１１と、これら軸挿通孔３２１、４１１に挿通して前記背支桿３２と足置き部４を正逆方向に回転可能に支持する軸部ｐとから構成される。この回転支持部７１は、脚５に固定された固定アームｋにより椅子本体１に対して固定されている。この軸部ｐは、その軸心を略水平方向に一致させている。
【００２６】
第１リンクメンバ７２は、薄板状のもので、前後方向に延出するように設けてある。そして、その前後端部７２ａ、７２ｂ側に前後挿通孔７２１、７２２を有している。
【００２７】
第２リンクメンバ７３は、薄板状のもので、上下方向に延出するように設けてある。そして、その上下端部７３ａ、７３ｂ側に上下挿通孔７３１、７３２を有している。
【００２８】
そして、前記第１リンクメンバ７２と前記第２リンクメンバ７３は、その前端部７２ａ側と上端部７３ａ側を、軸ｑを介してガススプリング６のロッド６２の上端部側に正逆方向に回転可能に取り付けられている。具体的には、前記ロッド６２の上端部に軸心を略水平方向に一致させて設けた略円筒状の軸受部６２１が設けてあり、この軸受部６２１に支持される軸ｑに、第１リンクメンバ７２の前挿通孔７２１と、第２リンクメンバ７３の上挿通孔７３１を挿通することにより、前記第１、第２リンクメンバ７２、７３を正逆方向に回転可能に支持させている。
【００２９】
一方、前記第１リンクメンバ７２は、前記後挿通孔７２２に、前記背支桿３２に設けた軸受部３２３に保持させた軸部ｒを挿通することにより前記後端部７２ｂ側を背支桿３２に正逆方向に回転可能に取り付けられている。前記軸受部３２３は、前記背支桿３２の下半部３２１の上下方向略中央位置の前面側に略水平方向に軸心を一致させて設けた略円筒状のものである。
【００３０】
また、前記第２リンクメンバ７３は、前記下挿通孔７３２に前記足置き部４の連結部材４１の前端部４１ｂ側に設けた前挿通孔４１２から挿通した軸部ｓを挿通することにより、前記足置き部４に対して正逆方向に回転可能に取り付けられている。
【００３１】
なお、本実施の形態では、第１リンクメンバ７２の後端部７２ｂ側を背支桿３２に取り付ける位置を、この後端部７２ｂ側が前記前端部７２ａ側よりも後方且つ下方位置で支持されるように設定しているとともに、第２リンクメンバ７３の下端部７３ｂ側を足置き部４に取り付ける位置を、この下端部７３ｂ側が前記上端部７３ａ側よりも前方且つ下方位置で支持されるように設定している。そのため、座２が上昇する場合には、その上昇に伴って、背もたれ３は、前方へ移動し、足置き部４も上方へ移動する。一方、座２が下降する場合には、その下降に伴って、背もたれ３は後方へ移動し、足置き部４も下方へと移動する。したがって、着座者の体格が小さい場合には、座２と背もたれ３と足置き部４とを相対的に近づけて対応し、着座者の体格が大きい場合には、座２と背もたれ３と足置き部４とを相対的に離して対応することができる。なお、ガススプリング６の前記ロッド６２は、その最大突出量が、第１リンクメンバ７２が略鉛直方向に沿うことになる位置まで突出しないように設定されている。
【００３２】
このような構成の椅子Ａに、例えば図３に示すような体型の小さい小学校低学年の生徒が着座する場合には、座２の下方に位置する操作レバーＢを操作してガススプリング６の作動端６１を押すと、ロッド６２が突没可能となる。この時、座２にかかる荷重を小さくしてやると、図５中実線から想像線へと示すように、座２は上方に移動し、この座２の上動に伴って第１リンクメンバ７２が前記背支桿３２を上方へ引き上げようとする。この時、背支桿３２は、前記回転支持部７１を中心にして前方へ回転移動し、背もたれ本体３１は前方すなわち座２に近付く方向へ移動することになる。さらにこの時、前記座２の上動に伴って第２のリンクメンバ７３が連結部材４１の前端部４１ｂ側を引き上げ、足置き部４は、回転支持部７１を中心としてその前端側が上方すなわち座２に近付く方向へ回転移動することになる。このように、座２の上昇にともなって、背もたれ３は前方へ、足置き部４は上方へ移動するため、座２と背もたれ３間、及び座２と足置き部４間に形成されるスペースが小さくなり、体型の小さい生徒でも、背を適正に背もたれ３に支持されるとともに足を足置き部４に置いた状態、すなわち体格にフィットさせた状態で着座することが可能である。
【００３３】
一方、例えば図２に示すように体型の大きい小学校高学年の生徒が着座する場合には、前記操作レバーＢを操作して座２にかかる荷重を大きくすると、座２が図５中想像線から実線へと示すように、下方に移動する。この座２の下降に伴って、第１リンクメンバ７２が前記背支桿３２を下方へ引き下げようとする。この時、背支桿３２は、前記回転支持部７１を中心にして後方へ回転移動し、背もたれ本体３１は後方すなわち座２から離れる方向へ移動することになる。さらにこの時、前記座２の下降に伴って第２リンクメンバ７３が連結部材４１の前端部４１ａを引き下げ、足置き部４は、回転支持部７１を中心としてその前端側が下方すなわち座２から離れる方向へ移動することになる。このように、座２の下降に伴って、背もたれ３は後方へ、足置き部４は下方へ移動するため、座２と背もたれ３間及び座２と足置き部４間に形成されるスペースが大きくなり、体型の大きい生徒でも、背を適正に背もたれ３に支持された状態で、その足を足置き部４に置いた状態、すなわち身体にフィットさせた状態で着座することが可能である。
【００３４】
なお、本実施の形態では、共に利用する天板付き家具（図示せず）の天板面の床面からの高さ位置が５７５ｍｍに設定してある。そして、小学校低学年である最小体格着座者の場合の天板面と座面の高さ位置の差尺が１５０ｍｍ、座面と足置き部４の高さ位置の差尺が２３５ｍｍ、座２の前端部から背もたれ３の前面までの奥行き寸法が２６０ｍｍとなるように設定している。また、小学校高学年である最大体格着座者の場合の天板面と座面の高さ位置の差尺が２１５ｍｍ、座面と足置き部４の高さ位置の差尺が３６０ｍｍ、座２の前端部から背もたれ３の前面までの奥行き寸法が４００ｍｍとなるように設定している。
【００３５】
近年の調査により、特に、膝下から足にかけての膝下長さ及び膝上から臀部にかけての膝上長さは、成長による体格の変化とともに、最も著しく変化することが明らかになっている。一方、前述したようなパソコン作業を行う場合には、腕を略直角に保持した姿勢で、キーボードやマウスの操作を行うものであり、天板面に対する座の位置変化は、体格の違いによってそれ程大きくないことも前記調査で明らかになっている。
【００３６】
前述したような構成の椅子Ａであると、体格の異なる着座者が、同じ天板付き家具と椅子Ａを利用してパソコン作業を行う場合にも、座２の高さ位置を変えれば、それに合わせて背もたれ３及び足置き部４の位置も連動して変化することになり、一回の操作で座２、背もたれ３及び足置き部４を適正な位置に移動させることが可能となる。特に、体格の違いによって変化が大きい膝下長さ及び膝上長さに対応させて、足置き部４の上下高さ位置及び背もたれ３の前後位置を着座者の体格に合わせて連続的に連動させることができるため、着座者は、背と足を適正に保持した状態で作業を行うことが可能となり、例えば、長期間パソコン作業を行っても、疲労感を感じにくく、また、姿勢を良好に保って視力低下等を招く恐れを有効に回避することが可能となる。
【００３７】
座２を上下方向に移動し得るガススプリング６を具備してなり、前記位置調整機構７が、前記ガススプリング６と協働して座２の移動動作を前記背もたれ３及び足置き部４の移動動作と連続的に連動させるものであるので、一回の操作で座２、背もたれ３及び足置き部４を適正な位置に決定することが可能となり、特に座２の昇降変化量に対応させて背もたれ３及び足置き部４の移動変化量を適宜設定しておけば、容易に当該椅子Ａを着座者の体格にフィットした状態とすることが可能である。
【００３８】
位置調整機構７が、座２を基準にして背もたれ３及び足置き部４の位置を決定するものであるので、体格の違いによって大きな差が生じる背もたれ３や足置き部４の位置と比べ、体格の違いによってそれ程大きな差が生じない、すなわち天板面との位置変化が少ない座２を基準にすることで、連動する背もたれと足置き部の位置決定のし易さを図ることが可能となる。
【００３９】
ガススプリング６を利用しているので、例えば、作動端６１を操作レバーＢにより押圧してロッド６２の突没を促した状態で、座２にかかる荷重を調整するだけで容易に座２の位置を調整することができる上、この座２の移動動作と連動して自動的に背もたれ３及び足置き部４の位置を調整することが可能となる。すなわち、ワンタッチ操作で座２、背もたれ３及び足置き部４の位置調整を行うことが可能であり、小学校低学年でも容易に操作を行い得るものとなる。また、座２、背もたれ３及び足置き部４の位置調整を任意に行うことができる上、さらに、その際の移動動作をスムーズなものとすることも可能である。
【００４０】
本実施の形態の椅子Ａは、天板近傍に該天板と略平行な状態で位置する座２を基準にして背もたれ３と足置き部４を連動させるようにしているので、特に、天板面が一定高さ位置にあるテーブルや机等の天板付き家具とともに良好に使用することが可能である。
【００４１】
位置調整機構７が、背もたれ３及び足置き部４を正逆方向に回転可能に支持する回転支持部７１と、後端部７２ｂを前記回転支持部７１から変位した背支桿３２の一部に正逆方向に回転可能に取り付け、前端部７２ａ側を前記ガススプリング６のロッド６２に正逆方向に回転可能に取り付けた第１リンクメンバ７２と、下端部７３ｂ側を前記回転支持部７３から変位した足置き部４の一部に正逆方向に回転可能に取り付け、上端部７３ａ側を前記ガススプリング６のロッド６２に正逆方向に回転可能に取り付けた第２リンクメンバ７３とを具備してなるので、前述した作動を行い得るものを、部材を可及的に少なくして簡素な構造で実現することが可能である。また、このように簡素な構造であるので、リンクメンバの位置設定等も行い易いものとなる。さらに、リンク部材を利用しているので、摩擦部分を小さくして動力の損失を少なくできる上、軽快な運動の伝達が可能となる。
【００４２】
背もたれ３を正逆方向に回転可能に支持する回転支持部７１が、足置き部４の基端部４ａ側を正逆方向に回転可能に支持する回転支持部を兼ねているので、さらに部品点数を削減して構造の簡素化を図ることが可能となる。
【００４３】
なお、本発明における構成は、以上説明したものに限定されないのは勿論である。例えば、椅子の構成や、位置調整機構の構成については上述したものに限定されない。本実施の形態では、脚体がキャスタに支持された脚羽根を有するものであったが、脚体の構成は上述したものに限定されない。位置調整機構の構成も上述したものに限定されず、例えば、座の上昇に伴って、背もたれを後方に移動させるような構成を実現したい場合には、さらにリンクメンバを増やすなどして、前記第１リンクメンバの後端側の取付位置を両軌跡の接点よりも前方側へ位置させるようにしてもよい。また、足置き部も同様に、座の上昇に伴って下降するものであってもよい。さらに、本実施の形態では、回転支持部が固定アームを介して脚体５に固定されたものであったが、これに限定されず移動可能なものであってもよい。また、本実施の形態では、第１リンクメンバ７２の前端部７２ａ或いは第２リンクメンバ７３の上端部７３ａが、ガススプリング６のロッド６２に取り付けられていたが、それに限られず、座の下面、座受部材、座の下面に設けたブラケット等に取り付けられるものであってもよい。その他の構成も本発明の趣旨を逸脱しない範囲で種々変形が可能である。
【００４４】
【発明の効果】
本発明は、以上説明したような構成で実施され以下に記載されるような効果を奏する。
【００４５】
すなわち、本発明は、座と、背もたれと、足を置くための足置きと、これらを支持してなる脚体とを少なくとも具備してなるものにおいて、前記背もたれが、背もたれ本体と、この背もたれ本体と支持する背支桿とを具備してなり、前記背支桿の上端部に前記背もたれ本体を取り付けるとともに、下端部が前記背もたれを正逆方向に回転可能に支持する第１の回転支持部を介して前記脚体に取り付けられており、前記座を上下方向に移動させる座昇降動作と、前記背もたれを前後方向に移動させる動作と、前記足置きを上下方向に移動させる動作とを連続的に連動させるようにしているので、一回の操作で座、背もたれ及び足置きを適正な位置に移動させることができ、座、背もたれ及び足置きの位置調整時の作業を簡易且つ円滑なものとすることが可能となる。
【００４６】
座を上下方向に移動し得る座昇降機構を具備してなり、前記連動装置が、前記座昇降機構と協働して座の移動動作を前記背もたれ及び足置きの移動動作と連続的に連動させるものであるならば、一回の操作で座、背もたれ及び足置きを適正な位置に決定することが可能となり、特に座の昇降変化量に対応させて背もたれ及び足置きの移動変化量を適宜設定しておけば、容易に椅子を着座者の体格にフィットした状態とすることが可能である。
【００４７】
連動装置が、前記座を上昇させた場合に、前記背もたれ及び足置きを前記座と近づく方向に移動させ、前記座を下降させた場合に、前記背もたれ及び足置きを前記座と離れる方向へ移動させることで、座を基準にして背もたれ及び足置きの位置を決定するものであるならば、体格の違いによって大きな差が生じる背もたれや足置きの位置と比べ、体格の違いによってそれ程大きな差が生じない、すなわち天板面との位置変化が少ない座を基準にすることで、連動する背もたれと足置きの位置決定のし易さを図ることが可能となる。
【００４８】
座昇降機構が、ガススプリングであるならば、例えば、ガススプリングの作動端を操作レバー等を利用して押圧して突没軸の突没を促した状態で、座にかかる荷重を調整するだけで容易に座の位置を調整することができる上、この座の移動動作と連動して自動的に背もたれ及び足置きの位置を調整することが可能となる。すなわち、ワンタッチ操作で座、背もたれ及び足置きの位置調整を行うことが可能であり、小学校低学年でも容易に操作を行い得るものとなる。また、座、背もたれ及び足置きの位置調整を任意に行うことができる上、さらに、その際に動きをスムーズなものとすることも可能である。
【００４９】
天板面を一定高さ位置に固定したテーブルや机等の天板付き家具とともに使用され、前記天板面上での執務作業に適するように前記座の高さ位置を設定するものであるならば、天板近傍に該天板と略平行な状態で位置する座を基準にして背もたれと足置きを連動させるようにすれば、背と足を椅子により適正に保持した状態でパソコン作業等を行うことが可能となる。
【００５０】
連動装置が、背もたれを軸部を用いて正逆方向に回転可能に支持する第１の回転支持部と、一端側を前記第１の回転支持部から変位した背もたれの一部に軸部を用いて正逆方向に回転可能に取り付け、他端側を前記座昇降機構により上下方向に移動可能に支持された座側又は足置き側の一部に軸部を用いて正逆方向に回転可能に取り付けた第１のリンク部材と、足置きを軸部を用いて正逆方向に回転可能に支持する第２の回転支持部と、一端側を前記第２の回転支持部から変位した足置きの一部に軸部を用いて正逆方向に回転可能に取り付け、他端側を前記座昇降機構により上下方向に移動可能に支持された座側の一部に軸部を用いて正逆方向に回転可能に取り付けた第２のリンク部材とを具備してなるならば、前述した作動を行い得るものを、部材を可及的に少なくして簡素な構造で実現することが可能である。また、このように簡素な構造であるので、リンク部材の位置設定等も行い易いものとなる。さらに、リンク部材を利用しているので、摩擦部分を小さくして動力の損失を少なくできる上、軽快な運動の伝達が可能となる。
【００５１】
第１の回転支持部が、足置きの基端部側を正逆方向に回転可能に支持する前記第２の回転支持部を兼ねているならば、さらに部品点数を削減して構造の簡素化を図ることが可能となる。
【図面の簡単な説明】
【図１】本発明の一実施の形態を示す斜視図。
【図２】同要部を示す分解斜視図。
【図３】同側面図。
【図４】同側面図。
【図５】同作用説明図。
【符号の説明】
２…座
３…背もたれ
３２ｂ…基端部（下端部）
４…足置き（足置き部）
６…座昇降機構（ガススプリング）
７…連動装置（位置調整機構）
７１…回転支持部
７２…第１のリンク部材（第１リンクメンバ）
７２ｂ…一端（後端部）
７２ａ…他端（前端部）
７３…第２のリンク部材（第２リンクメンバ）
７３ｂ…一端（下端部）
７３ａ…他端（上端部）
Ａ…椅子
【図１】
0004411413.tif 000002
【図２】
0004411413.tif 000003
【図３】
0004411413.tif 000004
【図４】
0004411413.tif 000005
【図５】
0004411413.tif 000006